(57)【特許請求の範囲】
【請求項１】
メインボディーと、前記メインボディーから互いに異なる方向に突出されるように延長形成される第１及び第２サブボディーとを含む本体と、
肌の表面に接触してローリングマッサージができるように前記第１及び第２サブボディーにそれぞれ回転可能に結合する導電性材質の第１及び第２回転ローラーとを含み、
前記第１回転ローラーは、別途の高周波発生器から基準電源が供給されて基準電極として作動し、前記第２回転ローラーは、前記高周波発生器から高周波電源が供給されて治療電極として作動し、前記第１及び第２回転ローラーが肌の表面に接触してローリングマッサージする過程で深部熱が発生するとともに、
前記第１及び第２サブボディーには、前記第１及び第２回転ローラーの回転軸を成す支持シャフトがそれぞれ外部に突出して装着され、前記第１及び第２回転ローラーは、前記支持シャフトに挿入されて前記支持シャフトを中心に回転可能に結合され、前記第１及び第２回転ローラーと前記支持シャフトとの間には前記高周波発生器から供給される基準電源及び高周波電源が前記第１及び第２回転ローラーに伝達されるように回転コネクターが装着され、
前記本体には、前記第１及び第２回転ローラーに基準値以上の外部加圧力が作用または作用解除されることによってオン/オフ作動する安全スイッチが取り付けられ、前記安全スイッチは、前記第１及び第２回転ローラーに伝達される基準電源又は高周波電源を遮断または遮断解除する方式でオン/オフ作動し、
前記第１及び第２回転ローラーが外部の加圧力によって微細弾性移動できるように前記支持シャフトは前記第１及び第２サブボディーに別途のヒンジ軸を中心として一定区間の回転移動が可能に結合し、別途の弾性部材によって片方の回転方向に弾性支持されることを特徴とする高周波を用いたマッサージローラー。
【請求項２】
前記安全スイッチは、
前記支持シャフトと一緒に一体として回転移動できるように前記支持シャフトに結合される可動接点端子と、前記支持シャフトが前記弾性部材の弾性力に対する反対方向に回転移動することによって前記可動接点端子と接触できるように前記第１及び第２サブボディーに結合される固定接点端子とを含み、
前記可動接点端子は、前記回転コネクターに電気的に連結され、前記固定接点端子は、前記高周波発生器と電気的に連結することができるように形成されることを特徴とする請求項１記載の高周波を用いたマッサージローラー。
【請求項３】
前記高周波発生器から供給される基準電源及び高周波電源を前記安全スイッチの側に供給または遮断するパワースイッチと、
前記パワースイッチを動作制御する制御部と、をさらに含み、
前記制御部は、前記第１及び第２回転ローラーそれぞれに対する安全スイッチの作動状態を判断し、それぞれの安全スイッチが全てオン(ON)作動状態である場合にのみ、前記基準電源及び高周波電源を前記安全スイッチの側に供給できるように前記パワースイッチの動作を制御することを特徴とする請求項１に記載の高周波を用いたマッサージローラー。
【発明の詳細な説明】
【技術分野】
【０００１】
本発明は、高周波を用いたマッサージローラーに関する。より詳細に説明すると、肌をローリングマッサージする2つの回転ローラーに基準電源及び高周波電源をそれぞれ供給し、基準電極及び治療電極で活用することによって、回転ローラーを肌に接触させ、ローリングマッサージする過程で身体の内部に深部熱を発生させることができ、これによってローリングマッサージの部位でマッサージ機能だけでなく深部熱による高周波治療機能まで発揮でき、脂肪分解効果及び皮膚弾力強化効果の様な美容効果がより強化され、より便利で効果的に使用できて高周波治療効果も発揮でき、2つの回転ローラーに基準値以上の皮膚接触加圧力が作用した場合にのみ、電源が供給されるように安全スイッチを取り付けることによって、肌の表面から回転ローラーが離隔されるなどの操作ミスが発生したとしても、安全スイッチを通して回転ローラーに電源供給を遮断でき、スパークの発生や過度の深部熱の発生などによる火傷の危険を防止できる高周波を用いたマッサージローラーに関する。
【背景技術】
【０００２】
人の肌は、歳をとるごとに弾力が減って肌が垂れ、シワができ、また、長時間紫外線に当たると角質が厚くなり、肌に透明感がなくなり、肌の新陳代謝が低下すると同時に、水分及び栄養分の供給が円滑に行われなくなる。
【０００３】
前記の様な原因によって肌の老化が発生するが、この様な肌の老化を防ぐための手段として、肌に栄養を与える栄養クリームなどの機能性物質を肌に塗ったり、肌に物質的な刺激を与え、新陳代謝を活性化させて肌の弾力を維持させるマッサージ(Massage) などの手段がある。
【０００４】
マッサージ(Massage)は、アラビア語の圧迫(Mass)とギリシャ語の「揉む」が語源とされ、肌や筋肉に適当な刺激を与えて治療する方法であり、血液、リンパ液、組織液など体液の流れを促進し、局所の新陳代謝を活発にすることに目的がある。
【０００５】
しかし、マッサージは主に人の手を利用するため、マッサージをする人の手首や筋肉が疲れやすく、長時間一定の力を保つことが難しいという短所があった。
【０００６】
したがって、マッサージをする時に均一な力を維持し、使用者の手に疲労がたまらない様にするために、特定の形に制作されたマッサージ道具が広く使用されている。
【０００７】
この様なマッサージ道具は、使用者が簡単に使用できるように普通の円柱形の取っ手としての機能を持つ本体と本体の端に回転できるように軸で結合した回転ローラーで構成されており、マッサージをするための部位に回転ローラーを密着させて前後に移動させることにより、回転ローラーが回転しながら肌に物理的な刺激を与える。
【０００８】
最近は外見に対する関心が非常に高くなり、顔に対する脂肪除去や皮膚弾力増加などの目的で顔をマッサージするための専用マッサージ器具が発売されている。しかし、この様なマッサージ器具は単純な取っ手の本体と回転ローラーの構造から抜けられず、純粋にマッサージ機能のみを行うため、脂肪除去効果や皮膚弾力増加の様な美容効果がとても低く、この様な美容効果を得るためには、使用者の大変な努力が必要であるという問題があった。
【先行技術文献】
【特許文献】
【０００９】
【特許文献１】大韓民国公開特許第10-2016-0009847号
【発明の概要】
【発明が解決しようとする課題】
【００１０】
本発明は従来の技術の問題点を解決するために発明したものとして、本発明の目的は、肌をローリングマッサージする2つの回転ローラーに基準電源及び高周波電源をそれぞれ供給し、基準電極及び治療電極で活用することによって、回転ローラーを肌に接触させ、ローリングマッサージする過程で身体の内部に深部熱を発生させることができ、これによってローリングマッサージの部位ではマッサージ機能だけでなく、深部熱による高周波治療機能まで発揮でき、脂肪分解効果や皮膚弾力強化効果の様な美容効果がより強化されてより便利で効果的に使用でき、高周波治療効果も又発揮できる高周波を用いたマッサージローラーを提供することである。
【００１１】
本発明の別の目的は、2つの回転ローラーに基準値以上の皮膚接触加圧力が作用した場合にのみ、電源が供給されるように安全スイッチを取り付けることによって、肌の表面から回転ローラーが離隔されるなどの操作ミスが発生したとしても、安全スイッチを通して回転ローラーに電源供給を遮断でき、スパークの発生や過度の深部熱の発生などによる火傷の危険を防止できる高周波を用いたマッサージローラーを提供することである。
【課題を解決するための手段】
【００１２】
本発明は、メインボディーと前記メインボディーから互いに異なる方向に突出されるように延長して形成される第1及び第2サブボディーを含む本体と、 肌の表面に接触してローリングマッサージできるように、前記第1及び第2サブボディーにそれぞれ回転できるように結合する導電性の材質の第1及び第2回転ローラーとを含み、前記第1回転ローラーは、別途の高周波発生器から基準電源を供給されて基準電極として作動し、前記第2回転ローラーは、前記高周波発生器から高周波電源を供給され治療電極として作動し、前記第1及び第2回転ローラーが肌の表面に接触し、ローリングマッサージをする過程で深部熱が発生されることを特徴とする高周波を用いたマッサージローラーを提供する。
【００１３】
この時、第1及び第2サブボディーには、前記第1及び第2回転ローラーの回転軸を成す支持シャフトがそれぞれ外部に突出されるように装着され、前記第1及び第2回転ローラーは、前記支持シャフトに挿入され、前記支持シャフトを中心に回転ができるように結合され、前記第1及び第2回転ローラーと前記支持シャフトとの間には、前記高周波発生器から供給される基準電源及び高周波電源が前記第1及び第2回転ローラーに伝達されるように回転コネクターが装着できる。
【００１４】
又、前記本体には、前記第1及び第2回転ローラーに基準値以上の外部加圧力が作用または作用解除することによってオン/オフ作動する安全スイッチが取り付け、前記安全スイッチは、前記第1及び第2回転ローラーに伝達される基準電源、又は高周波電源を遮断または遮断解除する方式でオン/オフ作動ができる。
【００１５】
又、前記第1及び第2回転ローラーが外部の加圧力によって微細弾性移動ができるように、前記支持シャフトは、前記第1及び第2サブボディーに別途のヒンジ軸（hinge axis）を中心として、一定区間の回転移動が可能に結合され、別途の弾性部材によって片方の回転方向に弾性支持できる。
【００１６】
又、前記安全スイッチは、前記支持シャフトと一緒に一体として回転移動できるように前記支持シャフトに結合される可動接点端子と、前記支持シャフトが前記弾性部材の弾性力に対する反対方向へ回転移動することによって前記可動接点端子と接触できるように前記第1及び第2サブボディーに結合される固定接点端子とを含み、前記可動接点端子は、前記回転コネクターに電気的に連結され、前記固定接点端子は、前記高周波発生器と電気的に連結する様に形成できる。
【００１７】
又、前記高周波を用いたマッサージローラーは、前記高周波発生器から供給される基準電源及び高周波電源を上記安全スイッチ側に供給または遮断するパワースイッチと、 前記パワースイッチを動作制御する制御部とをさらに含み、前記制御部は、前記第1及び第2回転ローラーそれぞれに対する安全スイッチの作動状態を判断し、それぞれの安全スイッチが全てオン(ON)作動状態である場合にのみ、前記基準電源及び高周波電源を前記安全スイッチ側に供給するように前記パワースイッチの動作を制御できる。
【発明の効果】
【００１８】
本発明によれば、肌をローリングマッサージする2つの回転ローラーに基準電源及び高周波電源をそれぞれ供給し、基準電極及び治療電極として活用することによって、回転ローラーを肌に接触させ、ローリングマッサージする過程で身体の内部に深部熱を発生させることができ、これによってローリングマッサージの部位でマッサージ機能だけでなく深部熱による高周波治療機能まで発揮でき、脂肪分解効果や皮膚弾力強化効果の様な美容効果がより強化されて、より便利で効果的に使用でき、高周波治療効果も又発揮できる効果がある。
【００１９】
又、2つの回転ローラーに基準値以上の皮膚接触加圧力が作用した場合にのみ電源が供給されるように安全スイッチを取り付けることにより、肌の表面から回転ローラーが離隔されるなどの操作ミスが発生したとしても安全スイッチを通して回転ローラーに電源供給を遮断でき、スパークの発生や過度の深部熱の発生などによる火傷の危険を防止できる効果がある。
【図面の簡単な説明】
【００２０】
【図１】本発明の実施例による高周波を用いたマッサージローラーの形状を概略的に示した図である。。
【図２】本発明の実施例による高周波を用いたマッサージローラーの内部の構造を概略的に示した図である。
【図３】本発明の実施例による高周波を用いたマッサージローラーの作動状態を概略的に示した図である。
【図４】本発明の実施例による高周波を用いたマッサージローラーに安全スイッチが適用された構造を概略的に示した図である。
【図５】本発明の実施例による安全スイッチの作動原理を概念的に示した図である。
【図６】本発明の実施例による高周波を用いたマッサージローラーの電源供給動作状態を概念的に示した図である。
【発明を実施するための形態】
【００２１】
以下、本発明の望ましい実施例を添付された図面を参考に詳細に説明する。まず、各図面の構成要素に参照符合を付加することにおいて、同一の構成要素に対しては別の図面上に表示されたとしても、できる限り同一の符合を持つようにしていることに注意しなければならない。又、本発明を説明する際に、関連した公知構成又は機能に対する具体的な説明が本発明の要旨から外れていると判断される場合には、その詳細の説明は省略する。
【００２２】
図1は本発明の日実施例による高周波を用いたマッサージローラーの形状を概略的に示した図面で、図2は本発明の日実施例による高周波を用いたマッサージローラーの内部構造を概略的に示した図面、図3は本発明の 実施例による高周波を用いたマッサージローラーの作動状態を概略的に示した図面である。
【００２３】
本発明の一実施例による高周波を用いたマッサージローラーは、肌に接触させマッサージ機能を行うと同時に高周波電源を用いて接触部位に深部熱を発生させる装置である。 
【００２４】
まず、高周波電源を利用した治療方式を簡単に見ると、通常の電気治療とは、身体に直接電流を通すことによって患部を治療する方法として電気療法とも言われ、医療用に使用される電気治療は周波数の波形、電流の強さ、適用部位などによってその機能や用途が様々だ。
【００２５】
この様な電気治療装置は電気伝達用法を通じて生態内部温度を高め、これと同時に生態組織の活力と関連した生物学的現象を維持させることのできる血管拡張が起こる様にする。これを通じて血の循環を増加させて栄養と酸素の供給を改善し、細胞内の呼吸と毒性分解産物(catabolin)の排出を刺激する。
【００２６】
この様な電気治療装置の中の一つとして高周波電源を用いて身体の深部に熱を発生する高周波治療装置が広く補給され、使用されている。一般的に高周波治療装置は、高周波電源を身体に通電させ、投与された電気エネルギーを生態エネルギーに転換し、転換された生態エネルギーを利用して発生された熱を通じて脂肪代謝と筋肉運動を促進させることによって肥満治療や筋肉強化、皮膚管理、毛髪促進又は痛み緩和などに使用される医療機器である。
【００２７】
高周波電源は、身体組織を通電する時に振動の幅がとても短いため、身体組織に通電された高周波電源は身体組織内でイオン運動をほとんど起こさず、電気化学的反応又は分解現象も発生しない。この様な高周波電源が身体内に通電されれば組織から熱が発生するが、これを深部熱と言う。この様に深部熱が発生する理由は、高周波の電気エネルギーが身体組織に加わると、電源の極性が変わる度に組織を構成する分子が振動しながら互いに摩擦され、回転運動、歪み、衝突運動によって生態熱を発生させるためだ。
【００２８】
高周波電源は、身体内で不便さや筋肉の収縮を起こさず身体組織の中の特定部位を加熱でき、発生された深部熱は組織の温度を上昇させ、細胞の機能を増進させて血流量を増加させるなどの役割をする。その結果、身体の新陳代謝及び筋肉運動が促進され、肥満治療や筋肉強化、皮膚管理、毛髪促進又は痛み緩和の効果が得られる。
【００２９】
一般的な高周波治療器は、高周波電源及び基準電源を発生させる高周波電源発生器と、身体に接触して高周波電源発生器から高周波電源を供給されて患部に適用する治療電極と、身体に接触して患部に適用された高周波電源を、接触された身体の一部に通電させるように高周波電源発生器から基準電源を供給される基準電極とで構成され、治療電極と基準電極との間に位置する身体領域から高周波電源の通電によって深部熱が発生する。 
【００３０】
この時、基準電極に供給される基準電源は、グラウンド電源であるか、又は治療電極に供給される高周波電源の逆位相電源として設定されており、下記で基準電極及び基準電源はこれと同一の意味で使用する。
【００３１】
本発明の一実施例による高周波を用いたマッサージローラーは、メインボディー１１０と第1及び第2サブボディー１２０、１３０を含む本体１００と、第1及び第2サブボディー１２０，１３０にそれぞれ回転可能になるように結合する第1及び第2回転ローラー２１０，２２０を含み、第1及び第2回転ローラー２１０，２２０には、別途の高周波発生器６００からそれぞれ基準電源及び高周波電源が供給されるように形成される。
【００３２】
本体１００は図1に示したように、取っ手の機能を行うメインボディー１１０とメインボディー１１０の一端から互いに異なる方向に突出されるように延長形成される第1及び第2サブボディー１２０，１３０を含んで構成される。
【００３３】
第1及び第2回転ローラー２１０，２２０は球形状のように形成され、第1及び第2サブボディー１２０，１３０にそれぞれ回転可能になるよう結合され、肌の表面に接触してローリングを通してローリングマッサージ機能を行う。この様な第1及び第2回転ローラー２１０，２２０は導電性の材質で形成され、別途の高周波発生器６００からそれぞれ基準電源又は高周波電源が供給され、基準電極又は治療電極に作動するよう構成される。
【００３４】
この様な構造によって第1回転ローラー２１０及び第2回転ローラー２２０が肌の表面に接触してローリングマッサージする過程で図3に示したように、第1回転ローラー２１０と第2回転ローラー２２０の間の人体内部の領域Eからは、深部熱が発生する。この様に第1回転ローラー２１０と第2回転ローラー２２０の間から深部熱が発生することによって、ローリングマッサージ部位ではマッサージ機能のみならず、深部熱による高周波治療機能まで発揮されることにより、脂肪分解効果及び皮膚弾力強化のような美容効果がより強化される。 
【００３５】
即ち、図3に示したように、使用者がマッサージローラーを顔の表面にこする場合、顔の表面は第1及び第2回転ローラー２０１，２２０の加圧ローリング過程を通じてローリングマッサージ機能が行われ、同時に、第1回転ローラー２１０と第2回転ローラー２２０の間の人体内部領域Eから深部熱が発生して高周波治療機能が同時に行われる。よって、これによる様々な美容効果が倍になって現れる。
【００３６】
第1及び第2回転ローラー２１０、２２０の結合構造を見ると、まず、図2に示したように第1及び第2サブボディー１２０、１３０の先端部には、第1及び第2回転ローラー２１０、２２０の回転軸をなす支持シャフト２３０がそれぞれ外部に突出されるように装着される。第1及び第2回転ローラー２１０、２２０は、この様な支持シャフト２３０に挿入され、支持シャフト２３０を中心に回転可能になるように結合される。この時、支持シャフト２３０と回転ローラー２１０、２２０の間には、それぞれベアリング２４０が挿入介在される。
【００３７】
又、第1及び第2ローラー２１０，２２０と支持シャフト２３０の間には、高周波発生器６００から供給される基準電源及び高周波電源が第1及び第2回転ローラー２１０、２２０に伝達されるように回転コネクター２５０が装着される。回転コネクター２５０は、支持シャフト２３０に結合され固定されるステーター端子２５２と、ステーター端子２５２と接触状態を維持して回転するように第1及び第2回転ローラー２１０、２２０にそれぞれ結合されるローター端子２５１の形態で構成される。この様な構造を通じて第1及び第2回転ローラー２１０、２２０が回転状態でもそれぞれに基準電源及び高周波電源が供給される。
【００３８】
図4は、本発明の一実施例による高周波を用いたマッサージローラーに安全スイッチが適用された構造を概略的に示した図面で、図5は本発明の一実施例による安全スイッチの作動原理を概念的に示した図面、図6は本発明の一実施例による高周波を用いたマッサージローラーの電源供給動作状態を概念的に示した図面である。
【００３９】
本発明の一実施例によるマッサージローラーは、前述したように第1及び第2回転ローラー２１０、２２０が第1及び第2サブボディー１２０、１３０にそれぞれ回転可能になるように結合され、基準電源及び高周波電源を供給受けてその間の領域Eで深部熱が発生するように構成される。この時、深部熱発生領域Eは、第1及び第2回転ローラー２１０、２２０の外周面の領域で肌と接触する部分を連結する領域のため、第1及び第2回転ローラー２１０、２２０が、肌の表面に沿って加圧ローリングする過程で使用者の操作エラーにより第1回転ローラー２１０又は第2回転ローラー２２０が肌の表面から離隔されたり、その接触面積が非常に小さくなれば、深部熱がその領域に集中して該当領域から過度の熱が発生したりスパークなどが発生し、使用者が火傷をするなどの危険がある。
【００４０】
本発明の一実施例では、この様な火傷の危険などを防止するために第1及び第2ローラー２１０、２２０に対する別途の安全スイッチ３００を取り付ける。安全スイッチ３００は本体１００、より具体的には、第1及び第2サブボディー１２０、１３０に取り付け、第1及び第2回転ローラー２１０、２２０に基準値以上の外部加圧力が作用または作用解除されることによってオン/オフ作動するよう構成されるが、第1回転ローラー２１０及び第2回転ローラー２２０に伝達される基準電源又は高周波電源を遮断または遮断解除する方式でオン/オフ作動するように構成される。
【００４１】
又、本発明の一実施例では、第1及び第2回転ローラー２１０、２２０が外部加圧力によって微細弾性移動できるように構成されるが、このために支持シャフト２３０は第1及び第2サブボディー１２０、１３０に別途のヒンジ軸２３１を中心に一定区間の回転移動が可能になるよう結合され、弾性部才２６０によって片方の回転方向に弾性支持されるよう構成される。
【００４２】
即ち、第1及び第2回転ローラー２１０，２２０は支持シャフト２３０と一緒に一定区間の微細弾性回転移動するように構成されるが、この時支持シャフト２３０は弾性部材２６０によって一つの方向に弾性支持され、第1及び第2回転ローラー２１０、２２０が使用者によって肌の表面に加圧接触されると、図4及び図5に示したように接触加圧力によって第1及び第2回転ローラー２１０、２２０が弾性部材２６０の弾性力に対する反対方向に支持シャフト２３０と一緒に弾性移動することになる。この様な弾性移動は、ヒンジ軸２３１を中心にする弾性回転移動になる。
【００４３】
この様に第1及び第2回転ローラー２１０、２２０が、肌の接触加圧力により微細弾性移動すれば、使用者が第1及び第2回転ローラー２１０、２２０を肌の表面に接触させる過程で加圧の衝撃が緩衝され、柔らかい使用感を提供できる。
【００４４】
この時、安全スイッチ３００は支持シャフト２３０と一緒に一体として回転移動できるように支持シャフト２３０に結合される可動接点端子３１０と、支持シャフト２３０が弾性部材２６０の弾性力に対する反対方向に回転移動することによって可動接点端子３１０と接触できるように、第1及び第2サブボディー１２０、１３０にそれぞれ結合される固定接点端子３２０を含んで構成されることができる。可動接点端子３１０は回転コネクター２５０のステーター端子２５２)にケーブルを通じて電気的に連結され、固定接点端子３２０はケーブルを通じて高周波発生器６００と電気的に連結される。
【００４５】
したがって、図5aに示したように、通常第1及び第2回転ローラー２１０、２２０は弾性部材２６０の弾性力により可動接点端子３１０と固定接点端子３２０が互いに離隔された状態で維持され、使用者の操作によって第1及び第2回転ローラー２１０、２２０が、肌の表面に加圧接触されれば、図5bに示したように肌の接触加圧力によって第1及び第2回転ローラー２１０、２２０が支持シャフト２３０と一緒に弾性回転移動し、これにより可動接点端子３１０と固定接点端子３２０が接触される。
【００４６】
即ち、第1及び第2回転ローラー２１０、２２０が肌の表面に基準値以上の加圧力で加圧接触されることによって可動接点端子３１０と固定接点端子３２０が接触し、高周波発生器６００から供給される基準電源及び高周波電源がそれぞれ第1及び第2回転ローラー２１０、２２０に供給される。しかし、肌の接触加圧力が基準値以下である場合には、第1及び第2回転ローラー２１０、２２０が肌の表面に対する接触領域がとても小さいか、又は離隔されるが、この場合には可動接点端子３１０と固定接点端子３２０の接触状態が解除され、基準電源及び高周波電源の供給が遮断される。
【００４７】
この様な安全スイッチ３００は、第1及び第2回転ローラー２１０、２２０のそれぞれに対して取り付けることでいずれかの回転ローラーに肌の接触加圧力が基準値以下に下降すれば、該当する回転ローラーに対しては安全スイッチ３００が作動することで基準電源又は高周波電源の供給を遮断することになる。
【００４８】
したがって、本発明の一実施例によるマッサージローラーは、第1及び第2回転ローラー２１０、２２０が肌の表面から離隔されるなどの操作エラーが発生する場合、上述の安全スイッチ３００がオフ状態に作動して該当する回転ローラーに電源供給を遮断することになるので、火傷の危険などを予防できる。
【００４９】
一方、第2及び第2回転ローラー２１０、２２０のいずれか、例えば第1回転ローラー２１０が肌の表面から離隔されれば、第1回転ローラー２１０に対する安全スイッチ３００がオフ状態に作動し、電源供給を遮断することによってスパークの発生又は過度の深部熱の発生などによる火傷の危険が予防できるが、それに対して肌に接触したままの第2回転ローラー２２０は安全スイッチ３００がオン状態であるため、続けて電源が供給される。この様に、第2回転ローラー２２０にのみ電源が供給されれば、使用者が地面に立っている場合、第2回転ローラー２２０に供給された電源が使用者の体を通って地面に流れる。この場合、使用者の体が通電して電流が流れることになるので、この様な使用者の通電状態を防ぐ必要がある。
【００５０】
したがって、本発明のもう一つの実施例では、高周波発生器６００から供給される電源及び高周波電源を安全スイッチ３００側に供給または遮断するパワースイッチ４００とパワースイッチ４００を動作制御する制御部５００をより具備することができるが、制御部５００は第1及び第2回転ローラー２１０、２２０それぞれに対する安全スイッチ３００の作動状態を判断し、それぞれの安全スイッチ３００が全てオン(ON)作動状態である場合にのみ、基準電源及び高周波電源を安全スイッチ３００側に供給できるようにパワースイッチ４００を動作制御するように構成される。
【００５１】
この様な構成によって第1及び第2回転ローラー２１０，２２０のいずれかが肌から離隔された場合、いずれかの安全スイッチ３００がオフ状態になるため、制御部５００はパワースイッチ４００をオフ状態に作動させることで高周波発生器６００から供給される電源を全て遮断することができ、これにより使用者の体が高周波電源によって通電する状態を防ぐことができる。
【００５２】
この様なパワースイッチ４００及び制御部５００は、本体１００のメインボディー１１０の内部の空間に装着されることもあるが、高周波発生器６００のケースの内部に装着されることもあり、別途の筐体に独立的に装着されることもある。勿論、パワースイッチ４００は、制御部５００による自動動作が制御されると同時にメインボディー１１０に外部に露出されるよう装着され、使用者によって主導操作が可能になるよう構成されることもある。
【００５３】
以上の説明は、本発明の技術的思想を例示的に説明したものに他ならず、発明の属する技術分野で通常の知識を持った人ならば、本発明の本質的な特性の範囲内で様々な修正及び変形が可能である。したがって、本発明に記載した実施例は本発明の技術的思想を限定するためでなく説明するためであり、この様な実施例によって本発明の技術的思想の範囲が限定されるものではない。本発明の保護範囲は、以下の請求の範囲によって解釈されなければならず、それと同等な範囲内にある全ての技術的思想は、本発明の権利範囲に含まれるものとして解釈しなければならないだろう。
【符号の説明】
【００５４】
100  本体 
110  メインボディー
120  第1 サブボディー 
130  第2 サブボディー
210  第1 回転ローラー 
220  第2 回転ローラー
230  支持シャフト 
240  ベアリング
250  回転コネクター 
260  弾性部材
300  安全スイッチ 
310  可動接点端子
320  固定接点端子 
400  パワースイッチ
500  制御部 
600  高周波発生器
【図１】
0006754679.tif 000002
【図２】
0006754679.tif 000003
【図３】
0006754679.tif 000004
【図４】
0006754679.tif 000005
【図５】
0006754679.tif 000006
【図６】
0006754679.tif 000007